(57)【要約】【課題】  非接触ＩＣカードからのデータを受信する場合に、その非接触ＩＣカードの共振周波数が異なる場合でも、ヌル点がなくデータを確実に受信できるようにしたリーダライタの復調装置。【解決手段】  この発明は、符号データ系列がＡＳＫ変調方式で変調された変調波を復調するリーダライタの復調装置である。検波回路５５は、その変調波をＡＳＫ検波する。微分回路５８は、検波回路５５で検波された信号を微分する。２値化回路５７は、微分回路５８からの微分出力を２値化する。この２値化回路５８は、微分回路５８の出力信号の立ち上がりと立ち下がりのそれぞれに異なる基準電圧を持たせたヒステリシス特性を有している。【選択図】  図５
2005217967.tif 000002
【特許請求の範囲】
【請求項１】
符号データ系列がＡＳＫ変調方式で変調された変調波を復調するリーダライタの復調装置であって、
前記変調波をＡＳＫ検波する検波手段と、
前記検波手段で検波された信号を微分する微分手段と、
前記微分手段からの微分出力を２値化する２値化手段と、
を備えたことを特徴とするリーダライタの復調装置。
【請求項２】
前記２値化手段は、前記微分手段の出力信号の立ち上がりと立ち下がりのそれぞれに異なる基準電圧を持たせたヒステリシス特性を有することを特徴とする請求項１に記載のリーダライタの復調装置。
【請求項３】
符号データ系列がＡＳＫ変調方式で変調された変調波を復調するリーダライタの復調装置であって、
前記変調波をＡＳＫ検波する検波手段と、
前記検波手段で検波された信号を増幅する増幅手段と、
前記増幅手段からの出力信号を２値化する２値化手段とを備え、
前記２値化手段は、前記増幅手段の出力信号の立ち上がりと立ち下がりのそれぞれに異なる基準電圧を持たせたヒステリシス特性を有することを特徴とするリーダライタの復調装置。
【発明の詳細な説明】
【技術分野】
【０００１】
本発明は、非接触ＩＣカードのリーダライタにおいて使用され、特に、ＡＳＫ（Amplitude Shift Keying）変調されたマンチェスタ符号を復調するための復調装置に関するものである。
【背景技術】
【０００２】
従来、非接触ＩＣカードとリーダライタとの間で、無線（電波）によりデータの授受を行う非接触ＩＣカードシステムが知られている。
この非接触ＩＣカードシステムは、図９に示すように、上位装置であるコンピュータ１と接続されるリーダライタ２と、このリーダライタ２との間で電波によりデータの授受を行う非接触ＩＣカード３と、を備えている（例えば、特許文献１および特許文献２を参照）。
【０００３】
リーダライタ２は、図９に示すように、データを送信するための送信系と、データを受信するための受信系と、これらに共通に使用されるループアンテナ２１とからなる。送信系は、キャリア信号発生器２２と、振幅変調器２３と、デジタル信号処理部２４とからなる。受信系は、検波回路２５と、増幅回路２６と、２値化回路２７と、デジタル信号処理部２４とからなる。
【０００４】
増幅回路２６は、図１０に示すように、オペアンプＯＰ１と、入力抵抗Ｒ１１と、帰還抵抗Ｒ１２と、抵抗Ｒ１３とからなり、広帯域の増幅ができるようになっている。また、２値化回路２７は、オペアンプＯＰ２からなり、入力信号のレベルが基準電圧ＶＲＥＦを上回ると、出力信号がＨレベルとなる回路である。
非接触ＩＣカード３は、図９に示すように、送受信アンテナ３１と、変調回路３２と、整流回路３３とを備えている。送受信アンテナ３１は、ループアンテナ３１１とコンデンサ３１２からなる。変調回路３２は、送受信アンテナ３１に並列に接続される抵抗３２１およびスイッチング素子３２２と、そのスイッチング素子３２２の制御を行うデジタル信号処理部３２３とからなる。整流回路３３は、ダイオード３３１とコンデンサ３３２からなる。
【０００５】
次に、このような構成からなる非接触ＩＣカードシステムにおいて、リーダライタ２が非接触ＩＣカード３からデータを読み出す場合の動作例について、図９を参照して説明する。
リーダライタ２は、キャリア信号発生器２２で所定の周波数のキャリア信号（搬送波）を発生し、このキャリア信号をループアンテナ２１から電波として放出している。この時に、非接触ＩＣカード３は、自己のループアンテナ３１１がリーダアンテナ２のループアンテナ２１と電磁誘導を引き起こす範囲内にあると、キャリア信号がループアンテナ３１１に誘起される。この誘起電圧は、整流回路２３で整流されてデジタル信号処理部３２３などの電源として使用される。
【０００６】
このとき、非接触ＩＣカード３は、デジタル信号処理部３２３が読み出しデータ（マンチェスタ符号）に応じてスイッチング素子３２２をオン／オフすると、そのオン／オフに応じてキャリア信号のレベルが変化する。すなわち、その読み出しデータに応じてキャリア信号がＡＳＫ変調される。
このＡＳＫ変調波は、リーダライタ２のループアンテナ２１で受信され、検波回路２５に供給される。検波回路２５は、そのＡＳＫ変調波を検波し、その検波された信号を増幅回路２６に出力する。ＡＳＫ変調されたキャリア信号は、そのレベルの変化が小さい。
【０００７】
このため、増幅回路２６では、デジタル信号処理部２４で必要となる電圧レベルまで広帯域の増幅を行う。増幅回路２６の増幅度は、入力抵抗Ｒ１１と帰還抵抗Ｒ１２の比率Ｒ１２／Ｒ１１で決まる。
２値化回路２７は、図１１に示すように、増幅回路２６からの入力電圧を基準電圧ＶＲＥＦと比較し、その入力電圧が基準電圧ＶＲＥＦ以下の場合にＬレベルの出力電圧ＶＯＬを出力し、その入力電圧が基準電圧ＶＲＥＦ以上の場合にＨレベルの出力電圧ＶＯＨを出力する。このように２値化回路２７で２値化されたデータは、デジタル信号処理回路２４でマンチェスタ符号に複合化されたのち、所定の処理がなされる。
【０００８】
図１２は、非接触ＩＣカード３の共振周波数が１３．５６〔ＭＨｚ〕の場合であって、リーダライタ２と非接触カード３との距離をそれぞれ変え、この距離を変えた場合の２値化回路２７の入力と出力との関係の波形例を示す。ここで、図１２（ａ）はその距離が１０〔ｍｍ〕、同図（ｂ）はその距離が２０〔ｍｍ〕、同図（ｃ）はその距離が３０〔ｍｍ〕の場合である。
【０００９】
図１２の（ａ）（ｂ）（ｃ）に示すように、２値化回路２７の入力電圧波形は、非接触ＩＣカード３との距離が変化しても、立ち上がりの極性が正で、ほぼ矩形の波形となっている。このため、同図の（ａ）（ｂ）（ｃ）に示すように、２値化回路２７の入力電圧波形は、所定のパルス幅（デューティ比）を持った２値信号が得られる。
従って、図９に示す従来の非接触ＩＣカードシステムでは、非接触ＩＣカード３の共振周波数が１３．５６〔ＭＨｚ〕の場合には、リーダライタ２と非接触カード３との距離の大小にかかわらず、通信が可能となる。
【特許文献１】特開平８−２４１３８３号公報
【特許文献２】特開２０００−７８２１１号公報
【発明の開示】
【発明が解決しようとする課題】
【００１０】
ところで、近年、非接触ＩＣカードの適用の広がりに伴い、多くのメーカにより多種多様の非接触ＩＣカードシステムが作られるようになってきた。このため、非接触ＩＣカードの共振周波数は、従来１３．５６〔ＭＨｚ〕付近に設定されていたが、これとは異なる周波数に設定された非接触ＩＣカードが提案されてきている。
図１３は、非接触ＩＣカード３の共振周波数が１７〔ＭＨｚ〕の場合であって、リーダライタ２と非接触カード３との距離をそれぞれ変え、この距離を変えた場合の２値化回路２７の入力と出力との関係の波形例を示す。
【００１１】
図１３（ａ）に示すようにその距離が１０〔ｍｍ〕の場合には、２値化回路２７の入力電圧波形は、図１２（ａ）の場合と同様に、立ち上がりの極性が正で、ほぼ矩形の波形を示している。しかし、図１３（ｃ）に示すように、その距離が３０〔ｍｍ〕の場合には、２値化回路２７の入力電圧波形は、逆の負極性の矩形波形となる。また、図１３（ｂ）に示すように、その距離が２０〔ｍｍ〕の場合には、２値化回路２７の入力電圧波形は矩形波形にはならない。
【００１２】
従って、図９に示す従来の非接触ＩＣカードシステムでは、非接触ＩＣカード３の共振周波数が１７〔ＭＨｚ〕の場合であって、リーダライタ２と非接触カード３との距離が２０〔ｍｍ〕のような場合には、２値化回路２７の出力として所定のパルス幅（デューティ比）が得られないので、通信が不可能な状態になるという不具合がある。
さらに、図９に示すような非接触ＩＣカードシステムでは、上述と同様に、リーダライタ２が非接触ＩＣカード３とは通信できないヌル（Ｎｕｌｌ）点が生ずるという不具合があり、これを図１４を参照して説明する。ここで、図１４は、リーダライタ２と非接触カード３との距離が、Ａ，Ｂ（Ａ＞Ｂ）のように異なる場合の復調波形例を示す。
【００１３】
距離Ａの場合には、図１４（ａ）に示すように、検波回路２５の検波出力は矩形波（方形波）であり、増幅回路２６はその波形を矩形波形に保ったままで電圧増幅し、２値化回路２７はその増幅回路２６の出力を基準電圧ＶＲＥＦで２値化する。
これに対して、距離Ｂの場合には、図１４（ｂ）に示すように、検波回路２５の検波出力の波形がスパイク状であるため、２値化されるパルスのパスル幅が所定値よりも狭くなり、通信が不可能になる。
【００１４】
このような現象は、主に、非接触ＩＣカード３の有する共振周波数が、リーダライタ２からのキャリア信号の周波数とは異なる値に設定されている場合に多く発生する。
そこで、本発明の目的は、上記の点に鑑み、非接触ＩＣカードからのデータを受信する場合に、その非接触ＩＣカードの共振周波数が異なる場合でも、ヌル点がなくデータを確実に受信できるようにしたリーダライタの復調装置を提供することにある。
【課題を解決するための手段】
【００１５】
上記の課題を解決して本発明の目的を達成するために、請求項１〜請求項３に係る発明は、以下のように構成した。
すなわち、請求項１に係る発明は、符号データ系列がＡＳＫ変調方式で変調された変調波を復調するリーダライタの復調装置であって、前記変調波をＡＳＫ検波する検波手段と、前記検波手段で検波された信号を微分する微分手段と、前記微分手段からの微分出力を２値化する２値化手段と、を備えている。
【００１６】
請求項２に係る発明は、請求項１に記載のリーダライタの復調装置において、前記２値化手段は、前記微分手段の出力信号の立ち上がりと立ち下がりのそれぞれに異なる基準電圧を持たせたヒステリシス特性を有する。
請求項３に係る発明は、符号データ系列がＡＳＫ変調方式で変調された変調波を復調するリーダライタの復調装置であって、前記変調波をＡＳＫ検波する検波手段と、前記検波手段で検波された信号を増幅する増幅手段と、前記増幅手段からの出力信号を２値化する２値化手段とを備え、前記２値化手段は、前記増幅手段の出力信号の立ち上がりと立ち下がりのそれぞれに異なる基準電圧を持たせたヒステリシス特性を有する。
【発明の効果】
【００１７】
本発明によれば、非接触ＩＣカードからのデータを受信する場合に、その非接触ＩＣカードの共振周波数がそれぞれ異なる場合でも、ヌル点がなくデータを確実に受信することができる。
【発明を実施するための最良の形態】
【００１８】
以下、本発明の実施の形態について、図面を参照して説明する。
図１は、本発明の第１実施形態が適用される非接触ＩＣカードシステムの構成を示すブロック図である。
この非接触ＩＣカードシステムは、図１に示すように、上位装置であるコンピュータ１と接続されるリーダライタ５と、このリーダライタ５との間で電波によりデータの授受を行う非接触ＩＣカード３と、を備えている。
【００１９】
リーダライタ５は、図１に示すように、データを送信するめの送信系と、データを受信するための受信系と、これらに共通に使用されるループアンテナ５１とからなる。送信系は、キャリア信号発生器５２と、振幅変調器５３と、デジタル信号処理部５４とからなる。受信系は、検波回路５５と、増幅回路５６と、２値化回路５７と、デジタル信号処理部５４とからなり、符号データ系列がＡＳＫ変調方式で変調された変調波を復調できるようになっている。
【００２０】
ループアンテナ５１は、非接触ＩＣカード３のループアンテナ３１１と電磁結合するようになっている。キャリア信号発生器５２は、所定の周波数からなるキャリア信号を発生するようになっている。振幅変調器５３は、キャリア信号発生器５２で発生するキャリア信号を、デジタル信号処理部２４で生成されるマンチェスタ符号によりＡＳＫ変調し、その変調されたＡＳＫ変調波をループアンテナ５１に出力するようになっている。
検波回路５５は、ループアンテナ５１で受信したＡＳＫ変調波を検波し、その検波出力を増幅回路５６に出力するようになっている。増幅回路５６は、検波回路５５の検波出力を広帯域増幅し、この増幅した信号を２値化回路５７に出力するようになっている。この増幅回路５６は、例えば図１０に示す増幅回路２６と同様に構成される。
【００２１】
２値化回路５７は、例えば図３に示すようなヒステリシス機能を有するコンパレータであり、具体的には後述のように構成される。デジタル信号処理部５４は、２値化回路５７からの２値化された信号について、例えばマンチェスタ符号の復号化を行うようになっている。
非接触ＩＣカード３は、図１に示すように、送受信アンテナ３１と、変調回路３２と、整流回路３３とを備えている。この非接触ＩＣカード３は、図９に示す非接触ＩＣカード３とその具体的な構成が同様であるので、同一構成要素には同一符号を付してその詳細な説明は省略する。
【００２２】
次に、図１に示す２値化回路５７の具体的な構成について、図２を参照しながら説明する。
この２値化回路５７は、図２に示すようにオペアンプＯＰ１０と、抵抗Ｒ１と、抵抗  Ｒ２と、抵抗ＲＬとを備え、図３に示すように２つのしきい値電圧ＶＨとＶＬを有するようにしたものである。
さらに詳述すると、オペアンプＯＰ１０の負（−）の入力端子には入力電圧Ｖｉが印加され、オペアンプＯＰ１０の正（＋）の入力端子には抵抗Ｒ１を介して基準電圧ＶＲＥＦが印加されるようになっている。また、オペアンプＯＰ１０の正の入力端子と出力端子との間に抵抗Ｒ２と抵抗ＲＬとが直列接続され、その共通接続部に正の電源電圧Ｖｃｃが印加されるようになっている。さらに、オペアンプＯＰ１０の出力端子からは、出力電圧Ｖｏを取り出すようになっている。
【００２３】
このような構成からなる２値化回路５７では、図３に示すように、入力電圧Ｖｉが上昇していきしきい値電圧ＶＬになると、その出力電圧ＶｏがＬレベルからＨレベルになる。その後、入力電圧Ｖｉがさらに上昇しても、出力電圧ＶｏはＨレベルを維持する。しかし、入力電圧Ｖｉがしきい値電圧ＶＨまで上昇したのちしきい値電圧ＶＨまで低下すると、出力電圧ＶｏはＨレベルからＬレベルに変化する。
【００２４】
ここで、上記のしきい値電圧ＶＨ，ＶＬは、次の（１）式と（２）式で表すことができる。
ＶＨ＝ＶＲＥＦ＋〔Ｒ１／（ＲＬ＋Ｒ１＋Ｒ２）〕×（Ｖｃｃ−ＶＲＥＦ）・・・（１）
ＶＬ＝ＶＲＥＦ−〔Ｒ１／（Ｒ１＋Ｒ２）〕×（ＶＲＥＦ−ＶＯＬ）・・・（２）
【００２５】
ここで、例えばしきい値電圧を、ＶＨ＝２．５１〔Ｖ〕，ＶＬ＝２．４９〔Ｖ〕にそれぞれ設定し、Ｖｃｃ＝５〔Ｖ〕、ＶＲＥＦ＝２．５〔Ｖ〕、ＶＯＬ＝０．２３〔Ｖ〕、Ｒ１＝１〔ｋΩ〕を選定すると、Ｒ２＝２２６〔ｋΩ〕、ＲＬ＝２３〔ｋΩ〕を得ることができる。
【００２６】
次に、このような構成からなる非接触ＩＣカードシステムにおいて、リーダライタ５が非接触ＩＣカード３からデータを読み出す場合の動作例について、図１を参照して説明する。
この動作例では、リーダライタ５のキャリア信号発生器５２が発生する周波数が１３．５６〔ＭＨｚ〕であり、非接触ＩＣカード３の共振周波数が１７〔ＭＨｚ〕である場合について説明する。
【００２７】
リーダライタ５は、キャリア信号発生器５２で発生するキャリア信号（搬送波）をループアンテナ５１から電波として放出している。このときに、非接触ＩＣカード３は、自己のループアンテナ３１１がリーダアンテナ５のループアンテナ５１と電磁誘導を引き起こす範囲内にあると、キャリア信号がループアンテナ３１１に誘起される。この誘起電圧は、整流回路３３で整流されてデジタル信号処理部３２３などの電源として使用される。
このとき、非接触ＩＣカード３は、デジタル信号処理部３２３が読み出しデータ（例えばマンチェスタ符号）に応じてスイッチング素子３２２をオン／オフすると、そのオン／オフに応じてキャリア信号のレベルが変化する。すなわち、その読み出しデータに応じてキャリア信号がＡＳＫ変調される。
【００２８】
このＡＳＫ変調波は、リーダライタ５のループアンテナ５１で受信され、検波回路５５に供給される。検波回路５５は、そのＡＳＫ変調波を検波し、その検波された信号を増幅回路５６に出力する。増幅回路５６から出力され、２値化回路５７に入力される入力電圧の波形例を示すと、例えば図４に示すようになる。ここで、図４は、リーダライタ５と非接触ＩＣカード３との距離が２０〔ｍｍ〕の場合であり、図１３（ｂ）に対応する。
いま、２値化回路５７では、図３に示すように、その２つのしきい値電圧として、ＶＬ＝２．４９〔Ｖ〕とＶＨ＝２．５１〔Ｖ〕とがそれぞれ設定され、図示のようなヒステリシス特性を有するものとする。
【００２９】
このような条件の下で、図４に示すように、入力電圧ＶｉがＶＬ＝２．４９〔Ｖ〕以下に低下したのち上昇する過程でＶＬ＝２．４９〔Ｖ〕になると、出力電圧ＶｏがＬレベルからＨレベルに変化する。さらに、入力電圧Ｖｉが上昇していきＶＨ＝２．５１〔Ｖ〕になったのち低下する過程でＶＨ＝２．５１〔Ｖ〕になると、出力電圧ＶｏがＨレベルからＬレベルに変化する。
このような２値化回路５７の動作により、出力波形として図４に示すような所望のパルス波形が得られる。このため、リーダライタ５のキャリア信号発生器５２で発生する周波数と、非接触ＩＣカード３の共振周波数とが異なる場合でも、通信が可能となる。
【００３０】
次に、本発明の第２実施形態が適用される非接触ＩＣカードシステムの構成について、図５を参照して説明する。
この非接触ＩＣカードシステムは、図５に示すように、上位装置であるコンピュータ１と接続されるリーダライタ５Ａと、このリーダライタ５Ａとの間で電波によりデータの授受を行う非接触ＩＣカード３と、を備えている。
すなわち、この非接触ＩＣカードシステムは、図１に示す非接触ＩＣカードシステムのリーダライタ５を、リーダライタ５Ａに置き換えたものである。
【００３１】
リーダライタ５Ａは、図５に示すように、データを送信するめの送信系と、データを受信するための受信系と、これらに共通に使用されるループアンテナ５１とからなる。送信系は、キャリア信号発生器５２と、振幅変調器５３と、デジタル信号処理部５４とからなる。受信系は、検波回路５５と、微分回路５８と、２値化回路５７と、デジタル信号処理部５４とからなり、符号データ系列がＡＳＫ変調方式で変調された変調波を復調できるようになっている。
【００３２】
このように、このリーダライタ５Ａは、図１に示すリーダライタ５を構成する増幅回路５６を微分回路５８に置き換えたものである。従って、以下の説明では、微分回路５８の構成について詳述し、他の構成要素については同一符号を付してその詳細な説明は省略する。
微分回路５８は、図６に示すように、オペアンプＯＰ２０と、抵抗Ｒ２１と、コンデンサＣ１と、抵抗Ｒ２２とから構成され、入力信号を時間微分し、この時間微分された信号が出力信号として取り出されるようになっている。
【００３３】
また、この微分回路５８の周波数と利得の関係の一例を示すと図７のようになり、周波数に応じて利得が増加するようになっている。すなわち、微分回路５８は、入力信号を微分するとともに増幅する機能を備えている。
さらに具体的に説明すると、オペアンプＯＰ２０の正の入力端子には、コンデンサＣ１を介して入力信号が供給されるようになっている。オペアンプＯＰ２０の負の入力端子は接地されている。さらに、オペアンプＯＰ２０の正の入力端子と出力端子との間には、抵抗Ｒ２１が接続されている。
【００３４】
次に、このような構成からなる非接触ＩＣカードシステムにおいて、リーダライタ５Ａが非接触ＩＣカード３からデータを読み出す場合の動作例について、図５を参照して説明する。
リーダライタ５Ａは、キャリア信号発生器５２で発生するキャリア信号（搬送波）をループアンテナ５１から電波として放出している。このときに、非接触ＩＣカード３は、自己のループアンテナ３１１がリーダライタ５Ａのループアンテナ５１と電磁誘導を引き起こす範囲内にあると、キャリア信号がループアンテナ３１１に誘起される。この誘起電圧は、整流回路３３で整流されデジタル信号処理部３２３などの電源として使用される。
【００３５】
このとき、非接触ＩＣカード３は、デジタル信号処理部３２３が読み出しデータ（例えばマンチェスタ符号）に応じてスイッチング素子３２２をオン／オフすると、そのオン／オフに応じてキャリア信号のレベルが変化する。すなわち、その読み出しデータに応じてキャリア信号がＡＳＫ変調される。
このＡＳＫ変調波は、リーダライタ５Ａのループアンテナ５１で受信され、検波回路５５に供給される。検波回路５５は、そのＡＳＫ変調波を検波する。この検波回路５５の出力波形は、例えば図８に示すようになる。
【００３６】
ここで、図８（ａ）はリーダライタ５Ａと非接触カード３との距離がＡの場合であり、同図（ｂ）はその距離がＢの場合であり（Ａ＞Ｂ）、これらは図１４（ａ）（ｂ）に対応する。
微分回路５８は、検波回路５５のからの検波信号を微分増幅するので、その微分波形は図８に示すようになる。この微分波形は、２値化回路５７に入力されて以下のように２値化される。
【００３７】
すなわち、図８に示すように、微分回路５８からの微分出力がしきい値電圧ＶＬ以下に低下したのち上昇する過程でしきい値電圧ＶＬになると、２値化回路５７の出力がＬレベルからＨレベルに変化する。さらに、その微分出力が上昇していきしきい値電圧ＶＨになったのち低下する過程でしきい値電圧ＶＨになると、その２値化回路５７の出力がＨレベルからＬレベルに変化する。
このような２値化回路５７の動作により、その出力波形として距離Ａ，Ｂの差異にかかわらず、図８に示すような所望のパルス波形が得られる。このように得られた２値信号は、デジタル信号処理部５４でマンチェスタ符号に復号化される。
【００３８】
なお、以上の説明では、図５に示す２値化回路５７は、図３に示すようなヒステリシス特性を有するものとして説明した。しかし、図５に示す２値化回路５７は、図３に示すようなヒステリスと特性と逆の特性（すなわち、図３の矢印の向きが逆方向の特性）であっても良い。この場合には、図８の２値化回路の出力は図示とは異なるものとなる。
また、図５に示すリーダライタ５Ａでは、検波回路５５と微分回路５８との間に増幅回路が設けられていないが、その間に図１に示す増幅回路５６と同様の増幅回路を設けるようにしても良い。
【図面の簡単な説明】
【００３９】
【図１】本発明の第１実施形態が適用される非接触ＩＣカードシステムの構成を示すブロック図である
【図２】図１に示す２値化回路の具体的な構成を示す回路図である。
【図３】その２値化回路の入力と出力の関係の一例を示す図である。
【図４】その２値化回路の入力と出力の波形例を示す波形図である。
【図５】本発明の第２実施形態が適用される非接触ＩＣカードシステムの構成を示すブロック図である
【図６】図５に示す微分回路と２値化回路の具体的な各構成を示す回路図である。
【図７】図６に示す微分回路の周波数と利得との関係の一例を示す図である。
【図８】図５に示すリーダライタの各部の波形例を示す波形図である。
【図９】従来の非接触ＩＣカードシステムの構成を示すブロック図である
【図１０】図９に示す増幅回路と２値化回路の各構成を示す回路図である。
【図１１】図１０に示す２値化回路の入力と出力の関係の一例を示す図である。
【図１２】２値化回路の入力と出力の波形例を示す波形図である。
【図１３】２値化回路の入力と出力の他の波形例を示す波形図である。
【図１４】図９に示すリーダライタの各部の波形例を示す波形図である。
【符号の説明】
【００４０】
３  非接触ＩＣカード
５、５Ａ  リーダライタ
５１  ループアンテナ
５４  デジタル信号処理部
５５  検波回路
５６  増幅回路
５７  ２値化回路
５８  微分回路
【図１】
2005217967.tif 000003
【図２】
2005217967.tif 000004
【図３】
2005217967.tif 000005
【図４】
2005217967.tif 000006
【図５】
2005217967.tif 000007
【図６】
2005217967.tif 000008
【図７】
2005217967.tif 000009
【図８】
2005217967.tif 000010
【図９】
2005217967.tif 000011
【図１０】
2005217967.tif 000012
【図１１】
2005217967.tif 000013
【図１２】
2005217967.tif 000014
【図１３】
2005217967.tif 000015
【図１４】
2005217967.tif 000016